(57)【要約】【課題】  ケース内に感震器を平行に取付けることによって、感震装置をこんろ本体の後部において水平度の高い底板または垂直度の高い側板に取付けるだけで、感震器に容易に水平度を持たせることを可能とした感震装置付きガスこんろ。【解決手段】  感震装置１２は、下端の開口の周囲両側に上壁１３ａと平行な取付け部１８を設けたプラスチック製ケース１３と、上面の少なくとも２箇所に平行な平面部１４ａを突設した感震器１４とからなり、該感震器の平面部１４ａをケースの上壁内面に接触するとともに、該ケース内に設けた受け部１７の凹溝１７ａに感震器の側壁に設けた装着部１５ａの突起１５ｂ嵌合して、装着部を受け部にねじ止めすることによって、ケース内に感震器を取付ける。この組み立てられた感震装置１２のケース１３の下端の開口周囲両側の取付け部１８をこんろ本体４の水平な底板１１の後部にねじ止めする。【選択図】        図３
2006242405.tif 000002
【特許請求の範囲】
【請求項１】
こんろ本体の下部後方にケース内に感震器を取り付けた感震装置を該感震器が水平になるようにして取付ける感震装置付きガスこんろにおいて、
前記感震装置は、下端の開口の周囲両側に上壁と平行な取付け部を設けたプラスチック製ケースと、上面の少なくとも２箇所に平行な平面部を突設した感震器とからなり、該感震器の該平面部をケースの上壁内面に接触するとともに、該ケース内に設けた受け部の凹部または凸部に感震器の側壁に設けた装着部の凸部または凹部を嵌合して、該装着部を該受け部にねじ止めすることによって、ケース内に感震器を取付けた感震装置を組み立て、該組み立てられた感震装置のケースの下端の開口の周囲両側の取付け部をこんろ本体の水平な底板の後部にねじ止めしたことを特徴とする感震装置付きガスこんろ。
【請求項２】
こんろ本体の下部後方にケース内に感震器を取り付けた感震装置を該感震器が水平になるようにして取付ける感震装置付きガスこんろにおいて、
前記感震装置は、一端側の開口の周囲両側に上壁と直角な取付け部を設けたプラスチック製ケースと、上面の少なくとも２箇所に平行な平面部を突設した感震器とからなり、該感震器の該平面部をケースの上壁内面に接触するとともに、該ケース内に設けた受け部の凹部または凸部に感震器の側壁に設けた装着部の凸部または凹部を嵌合して、該装着部を該受け部にねじ止めすることによって、ケース内に感震器を取付けた感震装置を組み立て、該組み立てられた感震装置のケースの一端側の開口の周囲両側の取付け部をこんろ本体の後部の垂直な側板にねじ止めしたことを特徴とする感震装置付きガスこんろ。
【発明の詳細な説明】
【技術分野】
【０００１】
本発明は、こんろ本体の下部後方に感震装置を取付ける感震装置付きガスこんろに関し、特にケース内に感震器を備えた感震装置を該感震器が容易に水平になるようにして取付けたガスこんろに関する。
【背景技術】
【０００２】
ガスこんろに物がぶつかったり地震による揺れで、ガスこんろが大きな衝撃を受けると、火災が発生する恐れがあるため、こんろ本体に感震装置を取付けて、こんろへの大きな衝撃があったときにその振動を検知し、バーナへの燃料ガスの供給を遮断して、バーナの燃焼を停止させるようにしたものが知られている（例えば特許文献１を参照）。
【０００３】
しかしながら、特許文献１の感震装置は、こんろ本体の側板の内側面に板ばね等の取付媒体を直角に片持ち状態で水平に取付け、その取付媒体の先端に感震器（振動センサ部）を取付けてなっている。このため、地震などの衝撃によりこんろ本体が振動しても、こんろ本体に対し片持ちで振動する取付媒体を介して感震器に伝えるため、こんろ本体の振動を正確に検知することができず、バーナへの燃料ガスの供給を確実に遮断することができない恐れがある。また特許文献１の感震装置では、取付媒体先端の感震器がこんろ本体内の中央方向に突き出しているので、感震器にバーナからの熱が伝わりやすく、感震器が熱影響によって劣化しやすい問題もある。
【特許文献１】特開平９−２４３０７３号公報
【発明の開示】
【発明が解決しようとする課題】
【０００４】
このようなことから、ガスこんろに設置する感震装置の構造をケース内に感震器を取付けたものとし、この感震装置をこんろ本体の底板のバーナからの熱が伝わりにくい後部に取付けることが考えられている。この場合、台所のカウンタートップに吊設されるビルトインタイプのガスこんろでは、こんろ本体の水平の基準面となる底板に高い水平度を持たせて、こんろ本体をカウンタートップに設置しているが、ケース内に感震器が２〜３°以内の水平に取付けられていないと、ケースがこんろ本体の底板に水平に取付けられても感震器が水平にならないので、感震器の感度特性が変化してしまい、こんろ本体の振動を正確に検知することができない問題が生じる。
【０００５】
ところで、近年のプラスチック成形技術の向上により、ケースも感震器の外装も高い寸法精度で作成することが可能になる。このため、ケース内に感震器を平行に取付けることが出きてさえいれば、感震装置をこんろ本体の底板に水平に取付けた際に、感震器に高い水平度を持たせることができる。
【０００６】
なお、従来、ケース内に感震器を取付けた感震装置で、自動水平保持機構を有するものは広く知られているが、高価であり、ガスこんろに使用するには適当でない。
【０００７】
したがって、本発明の課題は、上記の問題に鑑み、ケース内に感震器を平行に取付けることによって、感震装置をこんろ本体の後部において水平度の高い底板または垂直度の高い側板に取付けるだけで、感震器に容易に水平度を持たせることを可能とした感震装置付きガスこんろを提供することである。
【課題を解決するための手段】
【０００８】
上記課題を達成するために、本発明は、こんろ本体の下部後方にケース内に感震器を取り付けた感震装置を該感震器が水平になるようにして取付ける感震装置付きガスこんろにおいて、前記感震装置は、下端の開口の周囲両側に上壁と平行な取付け部を設けたプラスチック製ケースと、上面の少なくとも２箇所に平行な平面部を突設した感震器とからなり、該感震器の該平面部をケースの上壁内面に接触するとともに、該ケース内に設けた受け部の凹部または凸部に感震器の側壁に設けた装着部の凸部または凹部を嵌合して、該装着部を該受け部にねじ止めすることによって、ケース内に感震器を取付けた感震装置を組み立て、該組み立てられた感震装置のケースの下端の開口の周囲両側の取付け部をこんろ本体の水平な底板の後部にねじ止めしたことを特徴とする。
【０００９】
本発明では、感震器の上面の２箇所に突設した平面部をケースの上壁内面に接触した状態で、ケース内の受け部の凹部または凸部に感震器の側壁の装着部の凸部または凹部を嵌合して、該装着部を該受け部にねじ止めするので、ケース内に感震器をケース上壁と容易に平行に取付けることができる。そしてケースの上壁と取付け部とは水平であるので、感震装置のケースの取付け部をこんろ本体の水平な底板の後部にねじ止めすることにより、感震器に容易に水平度を持たせて感震装置を底板に取り付けることができる。また感震装置の組み立て構造も簡単であり、感震装置を安価なものとすることができる。さらにケースはプラスチック製なので、熱の伝達を低減して感震器を熱から保護できるとともに、煮こぼれ汁から保護することができる。
【００１０】
本発明によれば、前記感震装置のプラスチック製ケースを、一端側の開口の周囲両側に上壁と直角な取付け部を設けたものとし、感震器の上面２箇所に設けた平面部をケースの上壁内面に接触し、該ケース内に設けた受け部の凹部または凸部に感震器の側壁に設けた装着部の凸部または凹部を嵌合して、該装着部を該受け部にねじ止めすることによって、ケース内に感震器を取付けた感震装置を組み立て、該組み立てられた感震装置のケースの一端側の開口の周囲両側の取付け部をこんろ本体の後部の垂直な側板にねじ止めするようにすることもできる。これによっても、上記と同様な作用効果を奏する。
【発明の効果】
【００１１】
本発明によれば、感震装置をこんろ本体の後部において水平度の高い底板または垂直度の高い側板に水平に取付けるだけで、感震器に容易に水平度を持たせることができる。また感震装置の組み立て構造も簡単なので、感震装置を安価に製造することができ、さらに感震器を熱や煮こぼれ汁から保護することもできる。
【発明を実施するための最良の形態】
【００１２】
以下、図面を参照して本発明の実施例を詳述する。図１は、本発明の感震装置付きガスこんろの一実施例を示す斜視図である。本実施例において、ガスこんろ１は、台所のカウンタートップ２に開設した開口３に上面開放の薄型矩形状のこんろ本体４を落とし込んで、吊設されるドロップインこんろで、こんろ本体４の上面の開口を塞ぐ天板５に開設した前寄りの左右の開口および後寄りの中央の開口にバーナ６を臨ませるとともに、こんろ本体の略中央部内に設置した扉７ａで開閉されるグリル７の上下にバーナ（図示せず）を臨ませ、こんろ本体４の前面の右左に出入自在に設けたつまみ８を押して飛び出させることによって、バーナ６およびグリルバーナを着火するようになっている。こんろ本体４の前面の左のつまみ８の下には、ガスこんろ電源の乾電池を収容する電池室９が設けられ、右のつまみ８の下には、前端の蓋を押し込むと係止手段から外れて、ばねの力で前方に突出する出入自在な操作表示パネル１０が設けられている。
【００１３】
こんろ本体４の水平基準面となる底板１１には、バーナ６からの熱が伝わりにくい後部に感震装置１２が取付けられている。こんろ本体４には、こんろ各部を制御する図示しない制御部を備える。該制御部は、感震器１２からの振動検知信号を受けると、信号処理によって振動が地震等の大きな衝撃によるものか否かを判定し、振動が大きな衝撃によるものと判定した場合には、バーナ６への燃料ガスの供給を断って燃焼を停止させるように、バーナ６の燃料ガス遮断弁を制御し、またその旨の警報等を出す。
【００１４】
本発明によれば、感震装置１２は、図２に示すように、下端が開口したプラスチック製ケース１３と、該ケース１３内に取付けられる感震器１４とからなっており、感震器１４は鋼球式の水平型振動センサで、振動素子等を組み込んだ樹脂製の外装で円筒状の外観を呈している。感震器１４の上面には、２箇所に平行な平面部１４ａが突設され、感震器１４の側壁には平板状の装着部１５ａを突出した断面Ｔ字状の側板１５が固着され、側板１５に感震器１４の両側に設けられた電極板１６が支持されるとともに、電極板１６に図外の測定回路からのリード線１６ａが接続されている。装着部１５ａの一方の面部には、図３（ｂ）に示すように、突起１５ｂが垂直方向に間隔をあけて２つ設けられ、突起１５ｂには貫通穴１５ｂ１が穿設されている。
【００１５】
ケース１３は、下端開口の四角形の箱体の一側を角部から途中まで直角に凹嵌した断面形状を有し、その凹嵌部の一方の面部を受け部１７として、該受け部１７の内側に感震器１４の側板１５の突起１５ｂを嵌合する垂直方向の凹溝１７ａが設けられるとともに、受け部１７に垂直方向に間隔をあけて外面に突出するボス１７ｂが２つ設けられ、該ボス１７ｂに凹溝１７ａに開口するねじ穴１７ｂ１が穿設されている。ケース１３の背面には、受け部１７と対応した位置に、スクリュードライバによるねじ締め作業用の切欠き状開口１９が設けられ、ケース１３の開口の周囲両側には、ケース１３の上壁１３ａと平行な板状の取付け部１８が一体に設けられ、取付け部１８には貫通穴１８ａが設けられている。
【００１６】
感震装置１２を組み立てるには、感震器１４をケース１３内に下端の開口から挿入して、感震器１４の側板１５の装着部１５ａに設けられた２つの突起１５ｂをケース１３の受け部１７の凹溝１７ａに下側から嵌め、そのまま上に持ち上げて感震器１４上面の２つの平面部１４ａをケース１３の上壁１３ａの内面に接触させ、その状態で突起１５ｂの穴１５ｂ１からねじ２０をケース１３の受け部１７に設けられたボス１７ｂのねじ穴１７ｂにねじ込んで、装着部１５ａを固定部１７に螺着する。
【００１７】
これによれば、感震器１４の上面の２箇所の平面部１４ａをケース１３の上壁１３ａの内面に接触した状態で、ケース１３内の受け部１７の凹溝１７ａと感震器１４の装着部１５ａの突起１５ｂの嵌合関係の下に、装着部１５ａを受け部１７にねじ止めするので、ケース１３内に感震器１４をケース上壁１３ａと容易に平行に取付けることができる。
【００１８】
組み立てた感震装置１２は、ケース１３の取付け部１８の穴１８ａに通したねじ２１をこんろ本体４の水平な底板１１の後部に設けたねじ穴にねじ込むことによって、底板１８に取付ける。このケース３の上壁１３ａと取付け部１８とは水平であるので、感震装置１２のケース１３の部分は水平であり、感震器１４も水平になる。
【００１９】
このように、本発明によれば、感震装置１２をこんろ本体４の水平度の高い底板１１に取付けるだけで、感震器１４に容易に水平度を持たせることができる。またその組み立て構造も簡単であり、感震装置１２を安価なものにすることができる。さらにケース１３がプラスチック製なので、バーナ６からの熱の伝達を低減して感震器１４を熱から保護できるとともに、煮こぼれ汁から保護することができる。
【００２０】
本発明では、上記のように、感震装置１２をこんろ本体４の底板１１に取付けることによって、感震器１４に容易に水平度が得られるが、カウンタートップ２が何らかの原因で傾斜していた場合には、図４（ｂ）に示すように、金属薄板製のばね板２２を介して底板１１に取付ければよい。
【００２１】
ケース１３には、図４（ａ）に示すように、前面の下端の略中間位置に両側の取付け部１８と同一平面上に位置する新たな取付け部１８を突設し、図４（ｃ）に示すように、ばね板２２は、ケース１３の３つの取付け部１８を含む下端の輪郭とほぼ同形とし、３つの取付け部１８が載置される載置部２２ａに設けた各穴２２ａ１を結ぶ線内に下方に突出する突起２２ｂを板金加工し、ケース１３の穴１８ａとばね板２２の穴２２ａ１とに通したねじ２１を底板１１のねじ穴にねじ込んで、ばね板２２を介して感震装置１２を底板１１に取付ける。ねじ２１の締め量を調節することによって、ばね板２２の突起２２ｂを支点として感震装置１２の姿勢を調整できるので、ケース１３の上面に置いた水準器を見ながら締め量を調節して、感震装置１２を底板１１に水平に取付けることができ、したがって感震器１４に水平度が得られる。
【００２２】
ばね板は図５（ａ）に示すようなものでもよい。このばね板２３は、ケース１３の３つの取付け部１８が載置される載置部２３ａの各端部に下方向への折曲片２３ｂを板金成形し、上記と同様、ケース１３の穴１８ａとばね板２３の穴２３ａ１とに通したねじ２１を底板１１のねじ穴にねじ込んで、感震装置１２をばね板２３を介して取付ける際、ねじ２１の締め量で折曲片２３ｂにより感震装置１２の姿勢を調整できるので、締め量を調節することにより、感震装置１２を底板１１に水平に取付けることができ、感震器１４に水平度が得られる。
【００２３】
以上の実施例では、感震装置１２をこんろ本体４の底板１１の後部に取付ける例を示したが、感震装置はこんろ本体４の後部の垂直な側板に水平に取付けるタイプとしてもよい。その場合には、プラスチック製ケース１３を図３（ａ）の状態から９０°横倒して、図３（ａ）でケース１３の右側の側壁だった壁を横倒したケースの上壁とし、ケース１３の受け部１７を横倒したケース内に垂直に設け、同様に感震器１４を９０°横倒しにして、横倒した感震器を上記実施例に準じた方法でケース内に取付け、ケース内に感震器を取付けた感震装置をこんろ本体４の後部の垂直な側板に水平に取付ければよい。このようなタイプの感震装置でも、上記と同様な効果を奏する。
【００２４】
以上、本発明をビルトイン式のガスこんろに適用した例を説明したが、本発明は、卓上型のガスこんろ、単体のグリルなど広くガスこんろに適用できる。
【図面の簡単な説明】
【００２５】
【図１】本発明の一実施例に係る感震装置付きガスこんろを示す斜視図である。
【図２】図１のガスこんろ本体の底板後部に取付ける感震装置を示す分解斜視図である。
【図３】図２の感震装置の取付け構造を示す断面図である。
【図４】本発明で適用可能なばね板を介して感震装置を取付ける説明図で、感震装置の斜視図（ａ）、取付けを示す背面図（ｂ）、およびばね板を下から見た斜視図（ｃ）である。
【図５】本発明で適用可能なばね板を介して感震装置を取付ける説明図で、感震装置の取付けを示す正面図（ａ）およびばね板を下から見た斜視図（ｂ）である。
【符号の説明】
【００２６】
１      ガスこんろ                    ４      こんろ本体
６      バーナ                        １１    底板
１２    感震装置                      １３    樹脂製ケース
１３ａ  上壁                          １４    感震器
１４ａ  平面部                        １５ａ  装着部
１５ｂ  突起                          １５ｂ１  穴
１７    受け部                        １７ａ    凹溝
１７ｂ１  ねじ穴                      ２０、２１  ねじ
【図１】
2006242405.tif 000003
【図２】
2006242405.tif 000004
【図３】
2006242405.tif 000005
【図４】
2006242405.tif 000006
【図５】
2006242405.tif 000007